(57)【要約】      （修正有）【課題】テープをケースに入れたまま、あるいは、ケースから抜いてその後端側を跳ね上げて直尺のように扱える軽くて測定しやすい、しかも携帯や保管に便利な巻尺のテープを提供する。【解決手段】湾曲した帯面を有する薄い真直な鋼製等の帯体の凸面側に目盛りを設け、後端側に屈曲保持部を設けると共に、先端側にテープ先端を保護し、かつ、下側へ開く当て板を備える先端片部を結合した屈曲自在のテープＢとした。また、これを複数に屈曲して収納する低い長方形等のケース２０を備える。【選択図】図７
2016218030.tif 000002
【特許請求の範囲】
【請求項１】
一定の曲率で湾曲した帯面を有し、自らの弾力でその真直状態を保持する一定の長さの帯体の帯面の両面側を含む凸面側に目盛りを設け、その後端側より所望の部位に屈曲保持部を設けたことを特徴とする屈曲自在の巻尺のテープ。
【請求項２】
ケースの一側壁の下部に設けた一つのテープ挿入口と、このテープ挿入口より一定の間隔を置いた対面する側でテープ挿入口へ向かって開きテープを屈曲に案内する屈曲案内手段と、この屈曲案内手段の両端部とテープ挿入口側の壁とを結ぶ上部壁面と下部壁面の二つの真直空間手段からなる外側案内手段を有し、テープを屈曲して複数の真直部を形成して収納する収納ケースを備えることを特徴とする湾曲した帯面を有する屈曲自在の巻尺のテープ。
【請求項３】
ケースの一側壁の下部に設けた一つのテープ挿入口と、このテープ挿入口より一定の間隔を置いた対面する側でテープ挿入口へ向かって開きテープを屈曲に案内する第一の屈曲案内手段と、挿入口テープ側で対面する第一の屈曲案内手段側に向かって開きテープを屈曲に案内する第二の屈曲案内手段と、この互いに向き合う二つの屈曲案内手段の間で各々その両端側が両屈曲案内手段の対応する端部に連なる上部壁面と下部壁面からなる二つの真直空間手段からなる外側案内手段を有し、テープを屈曲して複数の真直部を形成して収納する収納ケースを備えることを特徴とする湾曲した帯面を有する屈曲自在の巻尺のテープ。
【請求項４】
ケースの側壁の下部の外側案内手段の下部壁面上にテープの帯面の湾曲に合致した形の孔のテープ挿入口をその湾曲の凸側を上側向きに備え、テープを屈曲して複数の真直部を形成して収納する収納ケースを備えることを特徴とする湾曲した帯面を有する屈曲自在の巻尺のテープ。
【請求項５】
ケースの一側壁の下部に設けた一つのテープ挿入口と、このテープ挿入口より一定の間隔を置いた対面する側の壁とテープ挿入口側の壁とを結ぶ下部壁面と、この下部壁面の上部でテープの屈曲の曲率の円の軌跡の外側の位置を任意の形で囲む外側壁面からなる外側案内手段と、この外側案内手段の内側にこの外側案内手段と一定の間隔を置いて設けられた内側壁面からなる内側案内手段を備え、テープを屈曲して複数の真直部を形成して収納する収納ケースを備えることを特徴とする湾曲した帯面を有する屈曲自在の巻尺のテープ。
【請求項６】
ケース内で互いに向き合う第一の屈曲案内手段と第二の屈曲案内手段を有し、この第一の屈曲案内手段と第二の屈曲案内手段の各々内側に相対する屈曲案内手段と一定の間隔を置いて第一の内側屈曲案内手段と、第二の内側屈曲案内手段を備えることを特徴とする請求項３記載のテープを屈曲して複数の真直部を形成して収納するケースを備える湾曲した帯面を有する屈曲自在の巻尺のテープ。
【請求項７】
ケース内で互いに向き合う第一の屈曲案内手段と第二の屈曲案内手段を有し、この二つの屈曲案内手段の間で各々その両端部が両屈曲案内手段の対応する端部に連なる真直な壁面の上部壁面と下部壁面の二つの真直案内手段からなる真直空間手段を有することを特徴とする請求項３記載のテープを屈曲して複数の真直部を形成して収納するケースを備える湾曲した帯面を有する屈曲自在の巻尺のテープ。
【請求項８】
ケース内で互いに向き合う第一の屈曲案内手段と第二の屈曲案内手段を有し、この二つの屈曲案内手段の間で各々その両端部が両屈曲案内手段の対応する端部に連なる二つの真直空間手段を有し、二つの真直空間手段の各々内側に各々相対する側の真直空間手段と一定の間隔を置いて真直な壁面の上部内壁と下部内壁の二つの内側真直案内手段を有することを特徴とする請求項３記載のテープを屈曲して複数の真直部を形成して収納するケースを備える湾曲した帯面を有する屈曲自在の巻尺のテープ。
【請求項９】
ケース内に屈曲案内手段を有し、この屈曲案内手段がケースの内側に設けた曲壁面の案内壁からなっていることを特徴とする請求項２及び３記載のテープを屈曲して複数の真直部を形成して収納するケースを備える湾曲した帯面を有する屈曲自在の巻尺のテープ。
【請求項１０】
ケース内に屈曲案内手段を有し、この屈曲案内手段がケースの内側のテープの屈曲面の外側に沿って並設された複数のローラ軸に回転可能に支持されたローラからなっていることを特徴とする請求項２及び３記載のテープを屈曲して複数の真直部を形成して収納するケースを備える湾曲した帯面を有する屈曲自在の巻尺のテープ。
【請求項１１】
ケース内の内側屈曲案内手段が相対する屈曲案内手段より一定の間隔を置いた位置にケース側に保持された支軸に回転可能に支持された内側ローラからなっていることを特徴とする請求項６記載のテープを屈曲して複数の真直部を形成して収納するケースを備える湾曲した帯面を有する屈曲自在の巻尺のテープ。
【請求項１２】
ケース内の内側屈曲案内手段が相対する屈曲案内手段より一定の間隔を置いた位置にケースの内側に設けられた曲面の案内壁からなっていることを特徴とする請求項６記載のテープを屈曲して複数の真直部を形成して収納するケースを備える湾曲した帯面を有する屈曲自在の巻尺のテープ。
【請求項１３】
外側案内手段の内側でこの外側案内手段と一定の間隔を置いた位置にケースの案内リング部に回転可能に保持された内側屈曲ローラからなる内側案内手段を備えることを特徴とする請求項５記載のテープを屈曲して複数の真直部を形成して収納するケースを備える湾曲した帯面を有する屈曲自在の巻尺のテープ。
【請求項１４】
一定の曲率で湾曲した帯面を有する帯体の帯面の両面側を含む凸面側に目盛りを有するテープの先端部の凹面側に、その先端面がテープの先端面に合致し帯面の長手方向に直角な平面をなし、その上面側がテープの凹面側に接した面をなし、その下面側がテープの両横端の下側線に平行な面をなし、テープの横幅に合致した横幅と一定の長さを有する先端片をテープの帯面に結合手段により固定に備える屈曲自在の巻尺のテープ。
【請求項１５】
一定の曲率で湾曲した帯面を有する帯体の帯面の両面側を含む凸面側に目盛りを有するテープの先端部の凹面側に、その先端面がテープの先端面に合致し帯面の長手方向に直角な平面をなし、その上面側がテープの凹面側に接した面をなし、その下面側がテープの両横端の下側線に平行な面をなし、テープの横幅に合致した横幅を有する一定の長さを有し、その先端面の中央部に両横壁に横方向のピン保持孔を備える縦のボス溝を有しており、テープの帯面に結合手段により固定された先端片部と、
ボス溝の両ピン保持孔に通しに挿入された支持ピンと、
その横幅が略テープの横幅以下の略四辺形の金属板部からなり、その内面側の先端に横壁にピン受け孔を有するボス部を備え、前記ボス部を支持ピンに縦方向の面内で開閉可能に支持されて前記先端片部のボス溝に嵌り、その前記内面側が先端片部の下面側に平行に接して閉じ、開いた時に先端片部の先端面に合致する当て板を備えることを特徴とする屈曲自在の巻尺のテープ。
【請求項１６】
先端片部のボス溝の両側のピン保持孔の端部を当て板のボス部のピン受け孔の位置より対称的に後斜め上方に偏心に位置せしめ、支持ピンがその曲がりの弾力でボス部を先端片部の後斜め上方側に引き付け状態に保持して当て板の内側面を先端片部の先端面に押圧保持するようにしたことを特徴とする請求項１４記載の屈曲自在の巻尺のテープ。
【請求項１７】
先端片部のボス溝の両側のピン保持孔の端部を当て板のボス部のピン受け孔の位置より対称的に後斜め上方に偏心に位置せしめ、支持ピンがその曲がりの弾力でボス部を先端片部の後斜め上方側に引き付け状態に保持して当て板の閉じ力を保持するようにしたことを特徴とする請求項１５記載の屈曲自在の巻尺のテープ。
【発明の詳細な説明】
【技術分野】
【０００１】  本発明は、直尺及び巻尺等の概念を包含する巻尺のテープに関するものである。本発明の巻尺のテープは、ケースに差し込んで屈曲して収納され、計測の時はケースより一部の長さを引き出して従来の巻尺のようにして使用し、あるいは、ケースより完全に引き抜いて従来の直尺ようにして使用することが出来る。
【背景技術】
【０００２】  これまで直尺は例えば、３０ｃｍ、６０ｃｍ、１ｍ等の一定長さを有するステンレスの平鋼やプラスチック材などの厚みと一定の幅を有する平帯板に目盛りを彫り込み、あるいは、印刷したものなどが多い。【０００３】  一般に、コンベックスと呼ばれている湾曲した帯面を有し、自らの弾力でその真直状態を保持する薄い鋼製のテープからなる巻尺は、湾曲した帯面の凹面側、あるいは、両面側に目盛りを備えているものである。この巻尺のテープは適当な位置で折り曲げても測ることが出来る。
【先行技術文献】
【特許文献】
【０００４】
【特許文献１】  特開２００２−１３１００３
【特許文献２】  特開２００７−００３４６６
【特許文献３】  特開２０１２−２０２９１６
【発明の概要】
【発明が解決しようとする課題】
【０００５】  前記した従来のような直尺は、長くて重いので、硬くて平坦な面に置いた時に取り上げ難いものなどが多い。このようなことから、計測時の取扱いが不便などの欠点があった。従って、不注意で落としたりすると、直尺自体を傷めるとか、被測定物側を傷つけることもあった。さらに、例えば、３０ｃｍを越える長さになると、携帯する際や保管する際に、工具箱などに収まりが悪いなどの不便があった。
また、機械装置の奥まった部分の寸法を計測する時など、従来の直尺ではその狭い部分に直尺が入らず計測に困難を来たすことがしばしばあった。計測場所の広さに合った様々な長さの直尺を用意するのは大変である。
また、巻尺のテープは折り曲げて測ることが出来るので、一応何所ででも計測可能に思われるが、計測の際に不必要な重いケース部分が計測の邪魔になることは多くの技術者等が経験するところである。又、巻尺のテープは、比較的狭い部分を手際よく計測したり、目印を入れたり、罫書いたりする度に、テープを引き出したり、引っ込めたり、ロックしたり、ロックを外したりする操作を頻繁にしなければならない欠点がある。
物の寸法を計測するテープは、その先端の角部が正確で明瞭であることが重要である。この薄い帯鋼で作られたテープは、その先端部分は傷めやすい部分である。又、この先端部分が計測しようとする相手側の部分にピタリと正しく当てられるようになっていることが大事である。従来のコンベックスは、テープの先端
2016218030.tif 000003
しかし、このようなコンベックスは、物の角部にテープの先端の掛け片を引っ掛けて計測するのには良いが、平たい面上にテープの先端を付けて計測しなければならない際には、掛け片が邪魔をして不都合であった。【０００６】  本発明の目的は、比較的短い長さの計測に適した直尺の利点を備え、従来の直尺の前記のような欠点の少ない収納性や携帯性、並びに、計測時の取扱い易さを備える巻尺のテープを提供することである。
本発明の他の目的は、単純な構造で軽量、且つ、コンパクトな収納ケースの付いた巻尺のテープを提供することである。
本発明のさらに他の目的は、収納ケースより一部分のみを引き出して従来の巻尺のような扱い方も出来、収納ケースより完全に引き出して直尺としても使える巻尺のテープを提供することである。
本発明のさらに他の目的は、収納ケースよりのテープの引き出しと収納が、手の指で円滑、且つ、軽快に操作できる巻尺のテープを提供することである。
本発明のさらに他の目的は、任意の位置で自由に折り曲げることが出来、ケースが邪魔にならず、狭隘な部分の計測がより行い易い巻尺のテープを提供することである。
本発明のさらに他の目的は、平面上に置かれたテープを、計測時の必要に応じてその終端側を跳ね上げて、その終端側を指で持って取り上げることが出来る扱い易い巻尺のテープを提供することである。
本発明のさらに他の目的は、極めて薄くて軽く、しかもテープの先端部が確り保護された巻尺のテープを提供することである。
本発明のさらに他の目的は、テープが被測定物にピッタリ付けられ、測定し易い巻尺のテープを提供することである。
本発明のさらに他の目的は、テープの先端部の裏側に、必要に応じて直角に開くことが出来る当て板を備える測定し易い巻尺のテープを提供することである。
【課題を解決するための手段】
【０００７】本発明は上記の目的を達成する為に、一定の曲率で湾曲した帯面を有し、自らの弾力でその真直状態を保持する一定の長さの帯体の帯面の両面側を含む凸面側に目盛りを設け、その後端側より所望の部位に屈曲保持部を設けた屈曲自在の巻尺のテープを提供するものである。【０００８】また、ケースの一側壁の下部に設けた一つのテープ挿入口と、このテープ挿入口より一定の間隔を置いた対面する側でテープ挿入口へ向かって開きテープを屈曲に案内する少なくとも一つの屈曲案内手段と、この屈曲案内手段の両端部とテープ挿入口の壁とを結ぶ上部壁面と下部壁面の二つの真直空間手段からなる外側案内手段を有し、テープを屈曲して複数の真直部を形成して収納する収納ケースを備えることを特徴とする湾曲した帯面を有する屈曲自在の巻尺のテープを提供するものである。【０００９】また、本発明はテープの先端部の凹面側にその先端面がテープの先端面に合致し帯面の長手方向に直角な平面をなし、その先端面の中央部に横にピン保持孔を備える縦のボス溝を備え結合手段によりテープの帯面に結合された先端片部と、ボス溝に嵌る支持ピンと、その内面側に前記ボス溝に嵌るボス部を備え、その横幅が略テープの横幅程の略四辺形の板部からなり、そのボス部をボス溝に嵌る支持ピンを介して先端片部に縦方向の面内で開閉可能に支持されており、先端片部の下面側に平行に接して閉じ、任意に直角に開くことの出来る当て板を備える湾曲した帯面の屈曲自在の巻尺のテープを提供するものである。【００１０】また、本発明は、これらの手段に加え、後述の実施形態の詳細な説明の中で明らかにするように、前述の従来のテープの欠点や課題を解決し改善する為の手段や他の変形手段を含む屈曲自在の巻尺のテープを提供する。【００１１】上記の第１の解決手段による作用は、次の通りである。
凸面側に目盛りを有するテープの終端側に屈曲保持部を設けることにより、この屈曲保持部へ外部より軽い力を加えることでこの部位を帯面の凸面側に屈曲させて終端側を跳ね上がらせ、この部位の屈曲状態を保持することが出来る。【００１２】また、第２の解決手段による作用は、屈曲保持部を有するテープ等を低い長方形のケース等に挿入し、屈曲して複数箇所の真直部を形成して収納することが出来る。そして、収納されたテープは、ケース内では自らは移動せず保持され、指先で任意に出し入れが出来る。テープをケース内に一部を入れたまま、あるいは、完全に抜き出して直尺のようにして使用することが出来る。【００１３】また、第３の解決手段による作用は、テープの先端部の裏側（凹面側）に薄い先端片をテープの帯面に結合手段により結合することで、薄くて鋭利なテープの先端部がこれにより保護される。
また、先端片部に取付けられた当て板は先端片部の下面側にピッタリ接して閉じ、必要に応じてテープの帯面に直角に開くことが出来る。
【発明の効果】
【００１４】  上述したように、本発明の巻尺のテープは、その終端側に屈曲保持部を設けることで、薄いテープをケースより引き出して平面上に置いても跳ね上がった終端側を持って扱うことが出来る。このように、収納ケースの付いた巻尺として使用することも、あるいは、軽くて扱いやすい直尺として使用することも出来る。【００１５】  テープに屈曲保持部を設けることでその終端側が帯面の凸面側に屈曲し易いので、テープをその帯面の凸面側をケースの内側にして挿入することが円滑に出来る。そこで、目盛りを帯面の凸面側に設けた計測し易い収納ケースの付いた巻尺のテープが得られる。【００１６】  テープの帯面の凸面側に目盛りを設け、従来のコンベックスのような下方へ出っ張る引掛け片が付いていないテープを、その帯面の凸面側を上にして被計測物に当てるので、目盛が被計測物にピッタリ付いて計測がし易い。【００１７】  薄いテープをケースより引き出して任意の位置で屈曲させて計測できるので、ケースが邪魔になる狭隘な場所の寸法の計測がやり易い。【００１８】  テープの先端部の凹面側にその下面がテープの両横端の下線に沿った薄い先端片部を設けたので、テープの鋭利な先端部の危険が除かれ、且つ、テープの先端部が保護されてテープ面の損傷が抑えられ、計測の正確が保たれる。【００１９】  テープの先端部の凹面側に任意に下側へ直角に開くことの出来る当て板を備える先端片部を設けたので、テープの先端部が保護されると共に、必要に応じて当て板を開いて計測が出来る扱い易い巻尺のテープが得られる。【００２０】  テープを指先で任意に出し入れすることが出来る他、ケース内のテープが自らは移動せず保持されるので、テープの引き込みのロックなどが不要で扱いやすい収納ケースの付いた巻尺のテープが得られる。【００２１】  ケース内のテープが自らは移動しないので、巻取りバネ等が不要であり、長いテープを軽くて低い長方形のケースに屈曲して収納した携帯や保管に便利な巻尺のテープが得られる。
【図面の簡単な説明】
【００２２】
【図１】  本発明の実施形態を示す巻尺のテープをその中央部分を切除して示す平面図
【図２】  同テープの正面図
【図３】  同テープの図２における［３］−［３］断面図
【図４】  同テープの図２における［４］−［４］断面図
【図５】  同テープの図２における［５］−［５］断面図で屈曲した屈曲保持部の断面を示す図
【図６】  本発明の他の実施形態を示す収納ケースの正面図で、前後対称のケースの中央の分割面より手前側の部分を取外してケース中央より向こう側の部分を現した図
【図７】  同収納ケースのテープが１回巻かれた状態を示す収納ケースの正面図で、前後対称のケースの中央の分割面より手前側の部分を取外してケース中央より向こう側の部分を現した図
【図８】  同収納ケースの図６における［８］−［８］矢視図で、テープ挿入口部分を拡大して示す部分拡大図
【図９】  本発明のさらに他の実施形態を示す収納ケースの正面図で、前後対称のケースの中央の分割面より手前側の部分を取外してケース中央より向こう側の部分を現した図
【図１０】  本発明のさらに他の実施形態を示す収納ケースの正面図で、前後対称のケースの中央の分割面より手前側の部分を取外してケース中央より向こう側の部分を現した図
【図１１】  同収納ケースの図１０における［１１］−［１１］断面図で、ケースの前後を一体にして示す図
【図１２】  本発明のさらに他の実施形態を示す収納ケースの正面図で、前後対称のケースの中央の分割面より手前側の部分を取外してケース中央より向こう側の部分を現した図
【図１３】  同収納ケースの図１２における［１３］−［１３］矢視図で、テープ挿入口部分をケースの前後を一体にして示す図
【図１４】  本発明のさらに他の実施形態を示す収納ケースの正面図で、前後対称のケースの中央の分割面より手前側の部分を取外してケース中央より向こう側の部分を現した図
【図１５】  本発明のさらに他の実施形態を示すテープの先端部分を示す平面図
【図１６】  同テープの図１５における左側面図
【図１７】  同テープの図１５における［１７］−［１７］断面図
【図１８】  本発明のさらに他の実施形態を示すテープの先端側を示す平面図でテープの先端部分の一部を破断して示す図
【図１９】  同テープの図１８における左側面図
【図２０】  同テープの図１８における［２０］−［２０］断面図
【図２１】  同テープの図２０における［２１］部分の拡大図
【発明を実施するための形態】
【００２３】  以下、本発明の実施の形態を図１〜図５に基づいて説明する。
【００２４】  図において、水平な平面１上に置かれた長さ５５ｃｍの目盛を持つテープＡを示す。帯体は薄い帯鋼で作られており、その帯面は一定の曲率で上方に凸になるように湾曲している。テープＡはその帯面の湾曲によってその真直が保たれている。このテープは任意の位置で上下いずれの側へも屈曲させることが出来るが、放すと帯面の湾曲による自らの回復力により真直状態に戻る。部材の弾性によって帯面が湾曲面を回復しようとする力がテープＡを真直ぐに伸ばそうとする力となって作用する。テープＡは屈曲された時、その屈曲部の曲率は帯面の湾曲による真直回復力の影響で、そのテープ固有の略一定の曲率を示す。曲った部分のテープの横断面形状は真直ぐになる。前記一定の曲率の円の範囲を超えると円は崩れて内部に直線部を形成するようになる。又、この湾曲した帯面のテープは、湾曲の凸側には曲り難く凹側には曲り易い性質を有している。
テープの帯面には、その凸面側３に、その先端面４より目盛り５が５５ｃｍまで刻まれている。目盛り５の終わった終端側６の端は指先状の丸みが付けてある。そして、中央の終端７は凸面側へ小さく滑らかに曲げ上げてある。
【００２５】  終端７より２０ｍｍ前後ほどの部位に屈曲保持部８が形成してある。帯体のこの部分の湾曲の曲率を他の部分の湾曲の曲率より僅かに大きく形成してある。この部分の湾曲を緩やかにすることにより、この部分の回復力が実質的に弱められる。この屈曲保持部８の形成は他の方法によることが出来る。例えば、凸側の帯面に折り跡のような横方向の僅かに窪んだ筋目をつけることによっても可能である。屈曲保持部８を任意の部分に任意の間隔で複数箇所設け、終端側の曲がりを調整することが出来る。この屈曲保持部８は他の部分より屈曲し易い状態にあるので、この屈曲保持部８の凸面側の上側を指先で押す、あるいは、終端７を指で持ち上げることなどにより、テープの終端側６が凸面側に跳ね上がった終端側６’の状態になる。帯面の他の部分の回復力はこの屈曲保持部８で途切れ、この終端側６は跳ね上がった状態で保持される。この時、屈曲保持部８の横方向の断面の形状は図５で示されるように真直になっている。屈曲保持部８の終端７よりの位置や間隔は終端側６の曲げ上げの程度によって任意に決められる。部材の回復力が弱められている屈曲保持部８は、その前後部分の帯体の湾曲による回復力がこの屈曲保持部８には及ばない。それによって跳ね上がった終端側６’は自らの力だけでは回復せず、その状態を保つことが出来る。
【００２６】  そこで、計測時には、平面上に置かれたテープＡをこの跳ね上がった終端側６’を指先で持って取り扱うことが出来るので、直尺として便利である。
テープをその帯面の凸面側を上にして被計測物に当てるので、目盛が被計測物にピッタリ付いて計測がし易い。また、任意の位置で屈曲させて計測できるので、ケースが邪魔になる狭隘な場所の寸法の計測がやり易い。
【００２７】  以下、本発明の他の実施の形態を図６〜図８に基づいて説明する。
【００２８】  図は、本発明の湾曲した帯面を有する屈曲自在のテープを重ね巻きに収納する収納ケースの最も基本的な実施の形態を示すものである。ケース２０は、その正面から見た形状が左右の短辺が外側に半円形に湾曲した近似的な長方形をなしている。図に向かって右側の側壁の曲壁面２１が第一の屈曲案内手段、左側の側壁の曲壁面２２が第二の屈曲案内手段を形成している。ケース２０の上辺側は、第一の屈曲案内手段の曲壁面２１と第二の屈曲案内手段の曲壁面２２の各々上端側に連なる上部壁面２４の第一の真直空間手段をなし、ケース２０の下辺側は、曲壁面２１と曲壁面２２の各々下端側に連なる下部壁面２５の第二の真直空間手段をなしている。真直空間手段は、ケース２０内のテープの真直部の長さを決める。ここでは、第一の屈曲案内手段と第二の屈曲案内手段の間隔を決定づける。ケース２０は、これらの連なる二つの屈曲案内手段と二つの真直空間手段からなる外側案内手段によって形成されている。
テープ挿入口２７が左側の側壁の曲壁面２２の下側の位置に設けられている。このテープ挿入口２７は、第二の真直案内手段の下部壁面２５の左側の延長線上にこの下部壁面２５と平行に開口している。
テープ挿入口２７の形状は、図８で示すように、上側が凸になる湾曲した形の孔になっている。この実施形態では、テープＢはスケール挿入口２７の形に倣って、その帯面の凸面側を上側にして挿入され、ケース内では帯面の凸面側に屈曲されて巻かれる。
【００２９】  図８において、テープ挿入口２７の孔の上側の壁の中央部に下向きに突出した狭い幅の突起部２３が設けてある。この突起部２３存在することで、挿入されるテープは、その中央部の狭い部分のみがテープ挿入口２７の上側の穴壁に触れる。これにより目盛面側の擦過傷を帯面中央の最小の部分に止めることが出来る。
【００３０】  この実施形態のケース２０には、図１〜５の実施形態に示されたテープＡと同じテープＢが挿入される。このテープＢの挿入側となるその終端側には屈曲保持部を有しており、終端側が凸面側へ屈曲し易くなっている。そこで、テープ挿入口２７より挿入されたテープＢの先端は下部壁面２５に沿って進行し、その終端側が第一の屈曲案内手段の曲壁面２１に押し当たった際に、終端側６’のように曲壁面２１に倣うように屈曲して曲壁面２１によるテープの滑らかな屈曲を援助する作用をする。曲壁面２１によって屈曲されたテープＢの先端は上部壁面２４の内側を進行し、その終端側６’が第二の屈曲案内手段の曲壁面２２に到達する。この時、ケース内のテープは曲壁面２１側の屈曲部２８の両側、即ち、上下に真直部２９の二つの真直部を形成している。
もし、この実施形態のケースの上部壁面２４と下部壁面２５、即ち、真直空間手段の長さが１５ｃｍのものであるならば、これだけでおよそ３０ｃｍのスケールを収納でき、充分発明の機能を果たす。
テープの終端側６’が第二の屈曲案内手段の曲壁面２２に押し当たった際にも、同様にテープの滑らかな屈曲を援助する作用する。このように、テープＢの終端側の屈曲保持部はケース２０内での屈曲案内手段による屈曲を助け、ケースへの円滑な挿入を助ける有効な作用する。
テープＢの挿入端側である終端側６’は、第二の屈曲案内手段の曲壁面２２を経た後、下部壁面２５上にあるテープの後に続く部分の上面、即ち、巻き付けの内側に重なって共に進行して巻かれていく。このようにしてテープ挿入口２７より挿入される後続のテープ部分は、先に巻かれたテープ部分の外側に重なりながら順次巻かれていき、ケース２０内で２箇所の屈曲部２８と２箇所の真直部２９を形成して重ね巻きに収納される。図７は、図６の状態よりテープが１回巻き込まれたケース２０内の状態を示す。
【００３１】  複数の真直部を伴って巻かれたテープＢは、自らは挿入方向にも引き出す方向にも、いずれの側にも移動することなくケース内に保持される。テープＢとケースの外側案内手段２６との摩擦抵抗に打ち勝つ力でテープＢを押し引きすることによってのみ、それを挿入、あるいは、引き出すことが出来、テープの引き込みのバネや、ロック装置などが不要である。また、長いテープを屈曲して軽くて低い長方形のケースに収納出来る。
この実施形態で示すように、テープの挿入端側に凸面側へ屈曲し易い屈曲保持部を設けることのもう一つの有効性がここに示されている。また、目盛りを帯面の凸面側に設けたことにより、低いケースを図６のように水平に置ける計測し易い収納ケースの付いた巻尺のテープが得られる。
【００３２】以下、本発明のさらに他の実施の形態を図９に基づいて説明する。
【００３３】  図において、前の図６〜図８の実施形態に示す部分と同じ部分については、同一の符号に‘を附して示すに止め、その説明を省略する。
長方形のケース３０には、図に向かって右側の側壁の内側に、テープの屈曲面の外側に沿って、ケース３０に保持されるローラ軸３１に回転可能に支持された５個のローラ３２が等間隔に並設されている。これが第一の屈曲案内手段を構成している。同様にして、左側の側壁の内側にも４個のローラ軸３１に回転可能に支持されたローラ３２からなる第二の屈曲案内手段が構成されている。
【００３４】  このように、屈曲案内手段を、並設された複数の回転するローラとすることで、テープの出し入れが軽快になるばかりでなく、テープの帯面への擦過傷を軽微に止めることが出来る。その結果として、テープをより多重に巻くことが可能となるので、より長いテープを収納することが出来る。
【００３５】  以下、本発明のさらに他の実施の形態を図１０〜図１１に基づいて説明する。
【００３６】  図において、前の図９の実施形態に示す部分と同じ部分については、同一の符号に“を附して示すに止め、その説明を省略する。
ケース３０”には、図に向かって右側の第一の屈曲案内手段より内側に一定の間隔を置いた位置にケース３０”側に保持される支軸３３に回転可能に支持された内側ローラ３４が設けられている。これが第一の内側屈曲案内手段を構成している。同様にして、左側の第二の屈曲案内手段より内側に一定の間隔を置いた位置にも支軸３３に支持された内側ローラ３４からなる第二の内側屈曲案内手段が構成されている。
【００３７】  このように、各々の屈曲案内手段の内側に少なくとも１個のローラからなる内側屈曲案内手段を設けることにより、テープの挿入端の進行の案内がより円滑になり、その素早い挿入、引き出しを円滑にする。
【００３８】  また、この実施形態において、内側ローラ３４はケース３０”側に回転を固定することが出来る。このように実施した場合には、各々の屈曲案内手段と対面する側の内側ローラ３４の外周面はテープＣ”の内側を案内する曲面の案内壁となって、回転するローラと同様の機能を果たすことが出来る。
【００３９】  真直空間手段は、屈曲したテープが真直ぐに伸びる空間を確保するものであって、必ずしもテープの真直部２９”に接近した壁面である必要はない。この実施形態では、図に示すように、二つの真直空間手段は左右の屈曲案内手間にあって、各々その両端側が対応する右側の側壁のローラ３２”と左側の側壁のローラ３２”の内側面に滑らかに連なる真直な上部壁面３５からなる第一の真直案内手段と、真直な下側の下部壁面２５”の第二の真直案内手段を形成している。この二つの真直案内手段は、外側案内手段を構成する真直空間手段の概念の内に含まれるが、ケース内を最初に屈曲案内手段に向かって進行するテープの終端側６”をより安定に案内する働きをする。
【００４０】  また、この実施形態においては、二つの真直空間手段の内側に、各々相対する側の真直空間手段と一定の間隔を置いて、上部内壁３７の第一の内側真直案内手段と下部内壁３８の第二の内側真直案内手段を有する。上部内壁３７と下部内壁３８は、左右の内側ローラ３４に遊合に支持された案内板３６の上部と下部に形成されている。
この二つの内側真直案内手段は、各々相対する側の真直案内手段と協働して、間を最初に屈曲案内手段に向かって進行するテープの終端側６”の振動を規制して、挿入されるテープＣ”を安定に案内する働きをする。
【００４１】  本発明の屈曲自在のテープを屈曲して複数の真直部を形成して収納するケースには、従来のコンベックスのように、凹面側に目盛りを有するテープをその凹面側をケースの内側向きにして挿入し、ケース内でテープを凹面側に屈曲して巻くように収納することも出来る。
【００４２】  図１２〜図１３は、本発明のさらに他の実施の形態を示す。
【００４３】  図において、ケース４０は、左側の側壁部の下側に設けられたテープ挿入口４７より右側に水平に伸びる下部壁面４５の上部に中心を有する近似円形の外側壁面４１から成る外側案内手段を有する。外側壁面４１を形成しているケースの内側部分は、テープＤの屈曲の曲率で描かれた屈曲円４２より充分外側に位置している。さらに、外側壁面４１の内側にこの外側壁面４１より一定の間隔を置いて内側案内手段を形成する内側壁面５０が設けられている。
図１３のように、テープ挿入口４７は上方が凹の湾曲した形の孔になっている。そこで、テープＤはテープ挿入口４７の形に倣って、帯面の凹面側を上側にして挿入され、ケース内で帯面の凹面側を内側にして巻かれる。
【００４４】  テープ挿入口４７より挿入されたテープＤの目盛りの終端側となる挿入端４６は、下部壁面４５に沿って進行して外側壁面４１に押し当たった後、外側壁面４１の曲面に沿って上方に浮き上がるように進む。その際に、挿入端４６より後方の内側部分が内側壁面５０の下側に接触する。さらにテープＤの挿入が押し進められると、テープＤは屈曲し、屈曲部５５の前後に真直部５１と真直部５２を形成して外側壁面４１に沿って進行する。挿入端４６がテープ挿入口４７側に至った際に、ケース内には真直部５１、真直部５２、真直部５３及び真直部５４の間に屈曲部５５と屈曲部５６及び屈曲部５７が形成される。テープ挿入口４７より挿入される後続のテープＤの部分は、このような形で先に巻かれたテープ部分の外側に順次巻かれていき、ケース４０内で５箇所の屈曲部と、５箇所の真直部を形成して重ね巻きに収納される。
【００４５】  ケース内における屈曲部の数は、外側案内手段を形成している外側壁面４１の大きさと、内側案内手段の内側壁面５０の位置によって変動する。収納ケースの外側案内手段の形状は、ここに実施の形態で示した近似的な長方形や、近似的円形のみに限定されない。下部壁面４５の上方に中心を置く近似的三角形や、台形などの任意の形状とすることが出来る。
【００４６】  図１４は、本発明の収納ケースのさらに他の実施の形態を示す。
【００４７】  図において、前の図１２〜図１３の実施形態に示す部分と同じ部分については、同一の符号に‘を附して示すに止め、その説明を省略する。
前の実施形態と同様の近似的円形のケース４０’には、外側壁面４１’の内側にこの外側壁面４１’より一定の間隔を置いた位置に曲壁面の内側案内手段を形成する内側屈曲ローラ５８が設けられている。この内側屈曲ローラ５８は、ケース４０’の内部に形成された案内リング部５９に回転可能に嵌っている。
この内側屈曲ローラ５８は、ケース内で巻かれるテープＤ’の巻きの内側の動きを円滑にし、テープの挿入、引き出しの操作を楽にする。
【００４８】これらの収納ケースによって、小さくて軽く、携帯や保管に便利な巻尺のテープを提供することが出来る。
【００４９】  図１５〜１７は、テープの先端部分における他の実施の形態を示す。
【００５０】  図において、上方に凸に湾曲しその凸面側に目盛り面を有するテープＥの裏面側、即ち凹面側の先端部にこのテープＥの横幅に合致し、その上面側６１がテープＥの湾曲した凹面側に接して沿い、その下面側６２が平坦な面の一定の長さの先端片６０が２個の固定鋲６３で固定されている。該先端片６０は硬い金属のような硬質材で作られている。その横方向の断面形状はほぼ薄い割円形である。その先端面６４はテープの先端面６５に合致しており、テープＥの長手方向の帯面に直角な平面である。
この実施形態では、先端片の下面側６２はテープＥの下端である両横端６６より僅かに下方へ出っ張った位置をテープＥの両横端６６と平行に伸びている。これによりこの先端片６０の横端は刃物のように鋭利には尖らない形になる。先端片の下面側６２は図のような平坦な面ばかりでなく、平坦な面以下、即ち、中央部分が幾分凹形に窪んだ形であっても良い。
テープの両横端６６と先端面６５との両角部は、小さな半径の面取り６７がなされ、薄くて弱いテープＥの鋭利な角部が除かれている。
この先端片６０によってテープの正確な角部が維持され、且つ、テープの先端部分が保護される。そして、先端が被計測面にピッタリと付き、正確な計測し易い巻尺のテープＥを得ることが出来る。
【００５１】図１８〜２１は、テープの先端部分のさらに他の実施の形態を示す。
【００５２】  ここで、テープＦの先端片部７０には後側より前側へ９０°開くことの出来る当て板７１が設けられている。
先端片部７０は図１５〜１７の実施形態に示す先端片部６０と略同じ厚さと幅を有し、その先端面７４はテープＦの先端面７５に合致し、テープＦの長手方向の帯面に直角な平面である。その下面側７２は平坦な面をなしている。そして先端より幾分離れた後の位置をテープＦの帯面に２個の固定鋲７３で固定されている。先端片部７０の先端側の中央に一定の幅の縦のボス溝７６が設けてある。このボス溝７６の両横壁の略中央部には横方向に対称形の溝状のピン保持孔７７が設けられている。このピン保持孔７７には支持ピン７８が通しに挿入されている。当て板７１はテープＦと略同じ横幅の長方形の薄手の金属板である。この当て板７１はその内面側８６の先端に先端片部のボス溝７６に正確に嵌る幅でその正面形状が角部を有する略四辺形のボス部７９を有する。この当て板７１はそのボス部７９の略中央部にピン受け孔８０を有しており、ボス部７９がボス溝７６に嵌った際に、このピン受け孔８０を支持ピン７８によって支持されて、当て板７１はこの支持ピン７８を中心にして縦方向の面内で９０°旋回可能になっている。当て板７１が閉じられた際に、その内面側８６は先端片部の下面側７２にピッタリ接面する。
【００５３】  そこで、当て板７１はそれが閉じられている時は、先端片部の下面側７２の下側にピッタリ重なった状態になる。この時、のボス部７９の先端側に位置する辺面８２は、先端片部の先端面７４に合致している。この時、ボス部７９の上側に位置する辺面８３の角部は、テープＦの先端側の下面８４にピッタリ接しており、当て板７１はその旋回方向の動きが押えられている。
ボス部７９の後方側の後辺８５は、ボス溝７６の後側の壁面８９より離れて嵌っている。
先端片部の下面側７２には、閉じられた当て板７１の後端８７の後ろ側の位置に指窪み８８が設けてある。この指窪み８８の部分に、指先を当てて当て板の後端８７を引き起こすことが出来る。
当て板７１が支持ピン７８を中心に開く方向に旋回する時、当て板のボス部の辺面８３の角部はテープＦの先端側の下面８４を僅かに押上げて進む。
一方、ボス部７９の後方側の辺８５は、ボス溝７６の後側の壁面８９に沿って回る。そして、９０°回って当て板７１の内面側８６が先端片部の先端面７４にピッタリ接して旋回は止まる。
図２０は、その状態を仮想線で示す。ボス部の辺面８２はテープＦの先端側の下面８４にピッタリ接し、当て板７１の内面側８６は先端片部の先端面７４にピッタリ接し、テープＦの長手方向の帯面に直角な平面となる。
【００５４】  ここに示す実施形態においては、当て板７１の内面側８６が先端片部７０の先端面７４に確り押し当てて保持するための手段を有する。
支持ピン７８はピアノ線のような強い弾力にとんだ線材である。
ボス溝７６の両横壁に形成されている両ピン保持孔７７は、その端部がボス部７９のピン受け孔８０の位置より後斜め上方側に偏心に位置し対称に先方に傾斜した三角形の溝状に形成してある。
そこで、当て板７１が先端片部７０に組み込まれた際に、支持ピン７８は図のように弓なりに曲った状態になって当て板７１を保持する。ボス部のピン受け孔８０の両側の部分の後側も支持ピン７８の曲りに沿うような形に逃がされた形状の孔になっている。こうして当て板７１のピン受け孔８０は、矢印９０で示すように、支持ピン７８によって常に後斜め上方側に引っ張られた状態で保持されている。そこで、それが開かれている時には、その内面側８６は確りと先端片部７０の先端面７４に押し当てられる。
【００５５】  ここに示す実施形態においては、当て板７１が閉じられた時、その内面側８６が先端片部の下面側７２に確り押し当てられて保持されるための手段を有する。
前記のように、当て板７１のピン受け孔８０は矢印９０で示すように支持ピン７８によって常に後斜め上方側に引っ張られた状態で保持されている。そこで、それが閉じられている時には、当て板７１は確りとその閉じ力が保持される。
【００５６】  この当て板７１の特徴は、９０°に開閉すること。９０°に開いた時にはその内面側８６がテープの先端面７５に合致した直角な面をなすこと。そして、閉じた時には、その内面側８６が先端片部の下面側７２の下側にピッタリ重なった状態になる。
必要な時に開くことの出来る当て板を備える先端片部を設けたので、テープの先端部が保護されると共に、必要に応じて当て板を開いて計測が出来る扱い易い巻尺のテープが得られる。
【符号の説明】
【００５７】  Ａ，Ｂ，Ｃ，Ｃ”，Ｄ，Ｄ’，Ｅ，Ｆ……テープ
６，６’、６”………テープの後端側
８………………………屈曲保持部
２０、３０、３０”、４０、４０’、………ケース
２１、２２……………曲壁面（屈曲案内手段）
２３……………………突起部
２４，２４’…………上部壁面（真直空間手段）
２５，２５’…………下部壁面（真直空間手段）
２５”…………………下部壁面（真直案内手段）
４５、４５”…………下部壁面（真直案内手段）
２７、２７’、２７”、４７、４７’………テープ挿入口
２８、２８’、２８”、５５，５６，５７’…………屈曲部
２９、２９、２９、５１、５２、５３、５４’………真直部
３１、３１’…………ローラ軸
３２、３２’…………ローラ（屈曲案内手段）
３３……………………支軸
３４……………………内側ローラ（内側屈曲案内手段）
３５……………………上部壁面（真直案内手段）
３６……………………案内板
３７……………………上部内壁（内側真直案内手段）
３８……………………下部内壁（内側真直案内手段）
４１、４１’…………外側壁面（外側案内手段）
５０……………………内側壁面（内側案内手段）
５８……………………内側屈曲ローラ（内側案内手段）
６０……………………先端片
６２……………………先端片の下面側
６３、７３……………固定鋲
６４、７４……………先端片部の先端面
６５、７５……………テープの先端面
７０……………………先端片部
７１……………………当て板
７２……………………先端片部の下面側
７６……………………ボス溝
７７……………………ピン保持孔
７８……………………支持ピン
７９……………………ボス部
８０……………………ピン受け孔
８２……………………ボス部の先端側に位置する辺面
８３……………………ボス部の上側に位置する辺面
８４……………………テープの先端側の下面
８６……………………当て板の内面側
８８……………………指窪み
９０……………………矢印
【図１】
2016218030.tif 000004
【図２】
2016218030.tif 000005
2016218030.tif 000006
【図６】
2016218030.tif 000007
【図７】
2016218030.tif 000008
【図８】
2016218030.tif 000009
【図９】
2016218030.tif 000010
【図１０】
2016218030.tif 000011
【図１１】
2016218030.tif 000012
【図１２】
2016218030.tif 000013
【図１３】
2016218030.tif 000014
【図１４】
2016218030.tif 000015
【図１５】
2016218030.tif 000016
【図１６】
2016218030.tif 000017
【図１７】
2016218030.tif 000018
【図１８】
2016218030.tif 000019
【図１９】
2016218030.tif 000020
【図２０】
2016218030.tif 000021
【図２１】
2016218030.tif 000022
【手続補正書】
【提出日】平成27年8月26日(2015.8.26)
【手続補正２】
【補正対象書類名】図面
【補正対象項目名】全図
【補正方法】変更
【補正の内容】
【図１】
2016218030.tif 000023
【図２】
2016218030.tif 000024
【図３】
2016218030.tif 000025
【図４】
2016218030.tif 000026
【図５】
2016218030.tif 000027
【図６】
2016218030.tif 000028
【図７】
2016218030.tif 000029
【図８】
2016218030.tif 000030
【図９】
2016218030.tif 000031
【図１０】
2016218030.tif 000032
【図１１】
2016218030.tif 000033
【図１２】
2016218030.tif 000034
【図１３】
2016218030.tif 000035
【図１４】
2016218030.tif 000036
【図１５】
2016218030.tif 000037
【図１６】
2016218030.tif 000038
【図１７】
2016218030.tif 000039
【図１８】
2016218030.tif 000040
【図１９】
2016218030.tif 000041
【図２０】
2016218030.tif 000042
【図２１】
2016218030.tif 000043